(57)【要約】【課題】ビデオ信号デコーディング及びエンコーディング方法を提供する。【解決手段】複数の階層情報を含むビデオ信号をデコーディングする方法において、向上階層の現在ブロックのための第１予測信号と、少なくとも基礎階層のブロックに基づく差分信号とを得る段階と、予測信号と差分信号との和をスムージング処理して現在ブロックのための第２予測信号を生成する段階と、第２予測信号に基づいて現在ブロックを復元する段階と、を含む。したがって、このビデオ信号デコーディング及びエンコーディング方法は、現在階層と基礎階層のマクロブロックタイプによる多様な階層間予測方式を利用することによって、階層間に存在する冗長性を除去し、コーディング効率を増加させる。【選択図】図１
2009520383.tif 000002
【特許請求の範囲】
【請求項１】
複数の階層情報を含むビデオ信号をデコーディングする方法であって、
向上階層の現在ブロックのための第１予測信号と、少なくとも基礎階層のブロックに基づく差分信号とを得る段階と、
前記予測信号と差分信号との和をスムージング処理して前記現在ブロックのための第２予測信号を生成する段階と、
前記第２予測信号に基づいて前記現在ブロックを復元する段階と、
を含む、ビデオ信号デコーディング方法。
【請求項２】
前記現在ブロックを復元する段階は、
前記現在ブロックのための第２予測信号と差分映像信号とを加えて前記現在ブロックを復元する、請求項１に記載のビデオ信号デコーディング方法。
【請求項３】
前記第１予測信号を生成する段階は、
前記現在ブロック及び前記基礎階層ブロックのうち少なくとも一つの予測モード情報に基づいて前記第１予測信号を生成する、請求項１に記載のビデオ信号デコーディング方法。
【請求項４】
前記現在ブロックの予測モード情報は、イントラ予測モードである、請求項３に記載のビデオ信号デコーディング方法。
【請求項５】
前記基礎階層ブロックの予測モード情報は、インター予測モードである、請求項４に記載のビデオ信号デコーディング方法。
【請求項６】
前記基礎階層ブロックの予測モード情報は、インター予測モードである、請求項３に記載のビデオ信号デコーディング方法。
【請求項７】
前記差分映像信号は、向上階層に基づく、請求項２に記載のビデオ信号デコーディング方法。
【請求項８】
前記差分信号は、前記基礎階層ブロックに基づいてアップサンプリングされたビデオ信号を含む、請求項１に記載のビデオ信号デコーディング方法。
【請求項９】
前記アップサンプリングは、向上階層の解像度によって基礎階層の解像度を向上させる、請求項８に記載のビデオ信号デコーディング方法。
【発明の詳細な説明】
【技術分野】
【０００１】
本発明は、ビデオ信号デコーディング及びエンコーディング方法に係り、特に、階層間予測によるビデオ信号デコーディング及びエンコーディング方法に関する。
【背景技術】
【０００２】
ＩＳＯ／ＩＥＣ（国際標準化機構／国際電気標準会議）傘下のＭＰＥＧ（Ｍｏｖｉｎｇ  Ｐｉｃｔｕｒｅ  Ｅｘｐｅｒｔｓ  Ｇｒｏｕｐ）とＩＴＵ−Ｔ（国際電気通信連合電気通信標準化セクタ）傘下のＶＣＥＧ（Ｖｉｄｅｏ  Ｃｏｄｉｎｇ  Ｅｘｐｅｒｔｓ  Ｇｒｏｕｐ）の２つの標準化機構が共同してＪＶＴ（Ｊｏｉｎｔ  Ｖｉｄｅｏ  Ｔｅａｍ）を結成し、初期ＭＰＥＧ−４  Ｐａｒｔ  ２とＨ．２６３標準案より優れたビデオ映像圧縮性能を発揮する新しい標準案を開発した。新しい標準案は、ＩＳＯ／ＩＥＣでは［ＭＰＥＧ−４  Ｐａｔｒ  １０：Ａｄｖａｎｃｅｄ  Ｖｉｄｅｏ  Ｃｏｄｉｎｇ］、ＩＴＵ−ＴではＨ．２６４として共同発表された。
【０００３】
一方、今後の動映像の符号化方法は、圧縮効率を最大化させることの他にも、多様な端末機及び変化する通信環境に適切に対応していかなければならない。このような要求に応じて、ＩＳＯ／ＩＥＣとＩＴＵ−Ｔとの共同チームであるＪＶＴではＨ．２６４／ＡＶＣ基盤のスケーラブルビデオコーディング（ＳＶＣ）の標準化を行っている。
【０００４】
スケーラブルビデオコーディングには、基本的に、時間的階層化、空間的階層化、品質階層化といった３方式が存在する。特に、空間的階層化は、階層間予測によって行われ、スケーラブルビデオコーディング（ＳＶＣ）でコーディング効率の増加を提供してきた。
【０００５】
このような階層間予測による映像は、階層間に高い相関関係を持っているため、階層間の空間的予測を通じて重複した情報を除去することができる。したがって、階層間の予測のための多様な予測方式が必要とされる。
【発明の開示】
【発明が解決しようとする課題】
【０００６】
本発明の目的は、階層間予測による様々なビデオ信号デコーディング及びエンコーディング方法を提供することにある。
【課題を解決するための手段】
【０００７】
上記の目的を達成するために、本発明によるビデオ信号デコーディング方法は、複数の階層情報を含むビデオ信号をデコーディングする方法であって、向上階層の現在ブロックのための第１予測信号と、少なくとも基礎階層のブロックに基づく差分信号とを得る段階と、前記予測信号と差分信号との和をスムージング処理して前記現在ブロックのための第２予測信号を生成する段階と、前記第２予測信号に基づいて前記現在ブロックを復元する段階と、を含む。
【０００８】
また、上記の目的を達成するために、本発明は、複数の階層情報を含むビデオ信号エンコーディング方法であって、現在階層のための第１予測信号と基礎階層のための差分信号を用いて現在階層のための第２予測信号を生成する段階と、前記第２予測信号と現在マクロブロック間の差分信号をエンコーディングする段階と、を含む。
【発明の効果】
【０００９】
本発明によるビデオ信号デコーディング及びエンコーディング方法によれば、現在階層と基礎階層のマクロブロックタイプによる多様な階層間予測方式を用いるため、階層間に存在する冗長性を除去することによってコーディング効率を増加させることが可能になる。
【発明を実施するための最良の形態】
【００１０】
まず、本発明の理解を助けるために階層間予測について説明する。
階層間予測には、構造予測（テクスチャプレディクション）と運動予測（モーションプレディクション）の２種類がある。テクスチャプレディクションには、ベース内予測（イントラベースプレディクション）、残差予測（レジデュアルプレディクション）があり、モーションプレディクションには、基本モード（ベースモード）、基本モード改良版（ベースモードリファインメント）、モーションプレディクションモードがある。
【００１１】
ここで、イントラベースプレディクションとは、符号化しようとするマクロブロックに対応する下位階層のマクロブロックが、画面内予測モードに符号化された場合、下位階層に該当するマクロブロックを復元し、復元されたマクロブロックを符号化しようとするマクロブロックの解像度にアップサンプリングして予測信号として用いることを意味する。
【００１２】
レジデュアルプレディクションとは、符号化しようとするマクロブロックに対応する下位階層のマクロブロックが、画面間予測モードに符号化されて差分信号を含んだ場合、差分信号に対して階層間予測を行うことを意味する。したがって、現在マクロブロックの動き情報が、下位階層の対応するマクロブロックの動き情報と同一または類似な場合に、符号化された下位階層の差分信号をアップサンプリングして現在マクロブロックの予測信号として用いることによって、階層間重複した情報を除去することができる。
【００１３】
ベースモードとは、解像度の異なる階層間には、下位階層が存在する場合、現在階層で動き推定を使用せず、下位階層で獲得した動き情報をアップサンプリングして使用するということを意味する。
【００１４】
以下、本発明によるビデオ信号デコーディング及びエンコーディング方法を、添付の図面を参照しつつ説明する。ここで、図面に示され、且つ、図面に基づいて説明される本発明の構成と作用は少なくとも一つの実施例として説明されるもので、それによって上記した本発明の技術的思想とその核心構成及び作用が制限されることはない。
【００１５】
図１は、本発明によるビデオ信号デコーディング方法の一実施例を示すフローチャートである。
【００１６】
まず、向上階層の現在ブロックのための第１予測信号と、少なくとも基礎階層のブロックに基づく差分信号とを獲得する（Ｓ１０）。すなわち、本発明によるデコーディング方法は、階層間予測を用いるので、現在マクロブロックをデコーディングするための予測信号として、現在階層のための第１予測信号と基礎階層のブロックに基づく差分信号とを用いることがわかる。
【００１７】
ここで、現在ブロックのための第１予測信号は、現在ブロック及び基礎階層ブロックのうち少なくとも一つの予測モード情報に基づいて生成することができる。例えば、現在ブロックのマクロブロックタイプがインターマクロブロックである場合には、現在マクロブロックのモーションベクトルを用いて予測信号を生成し、イントラマクロブロックである場合には、現在マクロブロックのイントラ予測モードによって予測信号を生成する。ここで、イントラ予測モードとは、画面内予測符号化において、隣接するマクロブロックを参照して予測する場合、予測方向の一つを意味する。例えば、４×４画素単位画面内予測符号化では、９つの予測方向によって９つのモードがあり、予測方向の発生頻度が高いほど小さい番号が割り当てられる。
【００１８】
また、基礎階層のブロックに基づく差分信号とは、基礎階層にあるマクロブロックのマクロブロックタイプによって生成された差分信号を意味する。一方、本発明によるビデオ信号デコーディング方法の一実施例として第２予測信号を生成する方法については、図２乃至図７で詳細に後述する。
【００１９】
次に、Ｓ１０で生成された第１予測信号と差分信号との和をスムージング処理して現在ブロックのための第２予測信号を生成する（Ｓ１２）。
【００２０】
最後に、第２予測信号と差分映像信号とを加えて現在ブロックを復元する（Ｓ１４）。すなわち、予測信号である第２予測信号とエンコーディング部から転送された現在階層のための差分映像信号とを加えて現在マクロブロックを復元する。また、本発明によれば、第２予測信号をスムージングフィルタリングし、スムージングフィルタリングされた第２予測信号と現在階層のための差分映像信号とを加えて現在マクロブロックをデコーディングすることができる。ここで、スムージングフィルタリングとは、イントラ予測モードによって生成された予測信号の方向性を緩和させることを意味する。
【００２１】
図２は、図１の本発明によるビデオ信号デコーディング方法を示す概略図であり、特に、現在階層及び基礎階層にあるマクロブロックのマクロブロックタイプが何れもイントラマクロブロックである場合に、第２予測信号を生成する方法の一実施例を示す。
【００２２】
まず、第１予測信号（２０１，Ｐｃ）は、現在階層にあるマクロブロックのイントラ予測モードによって生成される。すなわち、イントラ予測モードによって一定の方向に画面内予測符号化して予測信号を求める。例えば、４×４画素単位画面内予測符号化の場合、現在階層にあるマクロブロックのイントラ予測モードが‘２'である場合には、左側ブロックの４画素と上段ブロックの４画素、すなわち、合計８画素の平均値を求めて第１予測信号を生成する。また、基礎階層のための差分信号（２０３，Ｒｂ）は、基礎階層にあるマクロブロックのイントラ予測モードによって生成される。すなわち、基礎階層にあるマクロブロックのイントラ予測モードによって生成された予測信号と基礎階層にあるマクロブロックとの差を求めて基礎階層のための差分信号（２０３，Ｒｂ）を生成する。最後に、第２予測信号２０７は、基礎階層のための差分信号（２０３，Ｒｂ）を現在階層の解像度にアップサンプリングした信号（２０５，ｕ）と第１予測信号（２０１，Ｐｃ）とを加えて生成される。
【００２３】
ここで、本発明によるビデオ信号デコーディング方法によれば、現在マクロブロック（２１３，Ｏｃ）は、第２予測信号２０７をスムージングフィルタリング（ｆ）した信号２０９と現在階層のための差分信号（２１１，Ｒｃ）とを加えて復元される。これを簡単な式にすると、‘Ｏｃ＝Ｒｃ＋ｆ（Ｐｃ＋ｕ（Ｒｂ））'となる。
【００２４】
図３は、図１の本発明によるビデオ信号デコーディング方法を示す概略図であり、特に、現在階層及び基礎階層にあるマクロブロックのマクロブロックタイプが何れもイントラマクロブロックである場合に、第２予測信号を生成する方法を示す他の実施例である。
【００２５】
まず、第１予測信号（３０１，Ｐｃ）は、図２の第１予測信号２０１とは違い、基礎階層にあるマクロブロックのイントラ予測モードによって生成される。その他、基礎階層のための差分信号（３０３，Ｒｂ）と第２予測信号３０７は、図２のビデオ信号デコーディング方法と同じ方式で生成される。
【００２６】
ここで、本発明によるビデオ信号デコーディング方法によれば、現在マクロブロック（３１３，Ｏｃ）は、第２予測信号３０７をスムージングフィルタリング（ｆ）した信号３０９と現在階層のための差分信号（３１１，Ｒｃ）とを加えて復元される。これを簡単な式にすると、‘Ｏｃ＝Ｒｃ＋ｆ（Ｐｃ＋ｕ（Ｒｂ））'となる。一方、図３に示すビデオ信号デコーディング方法を行うために、新しいシンタックス（ｓｙｎｔａｘ）を用いるか、または、レジデュアル予測識別情報またはベースモード識別情報等を用いることができる。
【００２７】
図４は、図１の本発明によるビデオ信号デコーディング方法を示す概略図であり、特に、現在階層及び基礎階層にあるマクロブロックのマクロブロックタイプがそれぞれイントラマクロブロック及びインターマクロブロックである場合に、第２予測信号を生成する方法を示す。
【００２８】
まず、基礎階層のための差分信号（４０３，Ｒｂ）は、画面間予測によって生成される。すなわち、基礎階層にあるマクロブロックのモーションベクトルによって生成された予測信号と基礎階層にあるマクロブロックとの差を求めて基礎階層のための差分信号（４０３，Ｒｂ）を生成する。その他、第１予測信号（４０１，Ｐｃ）と第２予測信号４０７は、図２のビデオ信号デコーディング方法と同じ方式で生成される。
【００２９】
ここで、本発明によるビデオ信号デコーディング方法によれば、現在マクロブロック（４１３，Ｏｃ）は、第２予測信号４０７をスムージングフィルタリング（ｆ）した信号４０９と現在階層のための差分信号（４１１，Ｒｃ）とを加えて復元される。これを簡単な式にすると、‘Ｏｃ＝Ｒｃ＋ｆ（Ｐｃ＋ｕ（Ｒｂ））'となる。
【００３０】
図５は、図１の本発明によるビデオ信号デコーディング方法を示す概略図で、特に、現在階層及び基礎階層にあるマクロブロックのマクロブロックタイプがそれぞれイントラマクロブロック及びインターマクロブロックである場合に第２予測信号を生成する方法の他の実施例を示す。
【００３１】
まず、第１予測信号（５０１，Ｐｃ）と基礎階層のための差分信号（５０３，Ｒｂ）は、図５のビデオ信号デコーディング方法と同じ方式で生成される。最後に、第２予測信号５０９は、第１予測信号（５０１，Ｐｃ）をダウンサンプリングした信号５０５と基礎階層のための差分信号（５０３，Ｒｂ）とを加えてなる信号５０７を、現在階層の解像度にアップサンプリングして生成される。
【００３２】
ここで、本発明によるビデオ信号デコーディング方法によれば、現在マクロブロック（５１５，Ｏｃ）は、第２予測信号５０９をスムージングフィルタリング（ｆ）した信号５１３と現在階層のための差分信号（５１１，Ｒｃ）とを加えて復元される。これを簡単な式にすると、‘Ｏｃ＝Ｒｃ＋ｆ（ｕ（ｄ（Ｐｃ）＋Ｒｂ）'となる。
【００３３】
図６は、図１の本発明によるビデオ信号デコーディング方法を示す概略図で、特に、現在階層及び基礎階層にあるマクロブロックのマクロブロックタイプがそれぞれインターマクロブロック及びイントラマクロブロックである場合に、第２予測信号を生成する方法の一実施例を示す。
【００３４】
まず、第１予測信号（６０１，Ｐｃ）は、現在階層にあるマクロブロックのモーションベクトルを用いて生成される。すなわち、画面間予測によって第１予測信号（６０１，Ｐｃ）を生成する。また、基礎階層のための差分信号（６０３，Ｒｂ）は、基礎階層にあるマクロブロックのイントラ予測モードによって生成される。最後に、第２予測信号６０７は、基礎階層のための差分信号（６０３，Ｒｂ）を現在階層の解像度にアップサンプリング（ｕ）した信号６０５と第１予測信号（６０１，Ｐｃ）とを加えて生成される。
【００３５】
ここで、本発明によるビデオ信号デコーディング方法によれば、現在マクロブロック（６１３，Ｏｃ）は、第２予測信号６０７をスムージングフィルタリング（ｆ）した信号６０９と現在階層のための差分信号（６１１，Ｒｃ）とを加えて復元される。これを簡単な式にすると、‘Ｏｃ＝Ｒｃ＋ｆ（Ｐｃ＋ｕ（Ｒｂ））'となる。
【００３６】
図７は、図１の本発明によるビデオ信号デコーディング方法を示す概略図で、特に、現在階層及び基礎階層にあるマクロブロックのマクロブロックタイプがそれぞれインターマクロブロック及びイントラマクロブロックである場合に、第２予測信号を生成する方法の他の実施例を示す。
【００３７】
まず、第１予測信号（７０１，Ｐｃ）と基礎階層のための差分信号（７０３，Ｒｂ）は、図６のビデオ信号デコーディング方法と同じ方式で生成される。最後に、第２予測信号７０９は、図７のビデオ信号デコーディング方法と同じ方式で生成される。
【００３８】
ここで、本発明によるビデオ信号デコーディング方法によれば、現在マクロブロック（７１５，Ｏｃ）は、第２予測信号７０９をスムージングフィルタリング（ｆ）した信号７１３と現在階層のための差分信号（１１１，Ｒｃ）とを加えて復元される。これを簡単な式にすると、‘Ｏｃ＝Ｒｃ＋ｆ（ｕ（ｄ（Ｐｃ）＋Ｒｂ））'となる。
【００３９】
図８は、本発明によるビデオ信号エンコーディング方法の一実施例を示すフローチャートである。
【００４０】
まず、現在階層のための第１予測信号と基礎階層のための差分信号を用いて現在階層のための第２予測信号を生成する（Ｓ８０）。すなわち、本発明によるエンコーディング方法は、階層間予測を用いるので、現在マクロブロックをエンコーディングするための予測信号として現在階層のための第１予測信号と基礎階層のための差分信号を利用する。
【００４１】
ここで、現在階層のための第１予測信号とは、現在階層にあるマクロブロックのマクロブロックタイプによって生成された予測信号のことを意味する。もし、マクロブロックタイプがインターマクロブロックである場合には、現在マクロブロックのモーションベクトルを用いて予測信号を生成し、イントラマクロブロックである場合には、現在マクロブロックのイントラ予測モードによって予測信号を生成する。
【００４２】
また、基礎階層のための差分信号とは、基礎階層にあるマクロブロックのマクロブロックタイプによって生成された差分信号のことを意味する。一方、本発明によるビデオ信号エンコーディング方法の一実施例として第２予測信号を生成する方法については、図９及び図１０で詳細に後述する。
【００４３】
次に、Ｓ８０で生成された第２予測信号及び現在マクロブロック間の差分信号をエンコーディングする（Ｓ８２）。すなわち、予測信号である第２予測信号及び現在マクロブロック間の差分信号をエンコーディングしてデコーディング部に転送する。また、本発明によれば、第２予測信号をスムージングフィルタリングし、スムージングフィルタリングされた第２予測信号と現在マクロブロック間の差分信号をエンコーディングすることができる。ここで、スムージングフィルタリングとは、イントラ予測モードによって生成された予測信号の方向性を緩和させることをいう。
【００４４】
図９は、図８の本発明によるビデオ信号エンコーディング方法を示す概略図で、特に、現在階層及び基礎階層にあるマクロブロックのマクロブロックタイプがいずれもイントラマクロブロックである場合に、第２予測信号を生成する方法の一実施例を示す。
【００４５】
まず、第１予測信号（９０１，Ｐｃ）は、現在階層にあるマクロブロック９０７のイントラ予測モードによって生成される。すなわち、イントラ予測モードによって一定の方向に画面内予測符号化して予測信号を求める。また、基礎階層のための差分信号（９０３，Ｒｂ）は、基礎階層にあるマクロブロックのイントラ予測モードによって生成される。すなわち、基礎階層にあるマクロブロックのイントラ予測モードによって生成された予測信号と基礎階層にあるマクロブロックとの差を求めて基礎階層のための差分信号（９０３，Ｒｂ）を生成する。最後に、第２予測信号９０５は、基礎階層のための差分信号（９０３，Ｒｂ）を現在階層の解像度にアップサンプリング（ｕ）した信号と第１予測信号（９０１，Ｐｃ）とを加えて生成される。
【００４６】
ここで、本発明によるビデオ信号エンコーディング方法によれば、差分信号（９０９，Ｒｃ）は、第２予測信号９０５をスムージングフィルタリング（ｆ）した信号と現在マクロブロック間の差によって生成されたのちエンコーディングされる。これを簡単な式にすると、‘Ｒｃ＝Ｏｃ−ｆ（Ｐｃ＋ｕ（Ｒｂ））'となる。
【００４７】
結局、エンコーディング部で差分信号９０９を生成するには予測信号９０５を必要とするので、本発明によるビデオ信号エンコーディング方法は、予測信号９０５を現在階層にあるマクロブロックのイントラ予測モードによる信号９０１と、基礎階層のための差分信号９０３を現在階層の解像度にアップサンプリングした信号とを加えて生成することによって、より正確な予測信号を生成でき、且つ、エンコーディング効率を上げることができる。
【００４８】
図１０は、図８の本発明によるビデオ信号エンコーディング方法を示す概略図で、特に、現在階層及び基礎階層にあるマクロブロックのマクロブロックタイプがいずれもイントラマクロブロックである場合に、第２予測信号を生成する方法の他の実施例を示す。
【００４９】
まず、第１予測信号（１０１，Ｐｃ）と基礎階層のための差分信号（１０３，Ｒｂ）は、基礎階層にあるマクロブロックのイントラ予測モードによって生成される。すなわち、基礎階層にあるマクロブロックのイントラ予測モードによって生成された予測信号と基礎階層にあるマクロブロックとの差を求めて基礎階層のための差分信号（１０３，Ｒｂ）を生成する。本発明によれば、第１予測信号１０１が、基礎階層にあるマクロブロックのイントラ予測モードによって生成されるので、基礎階層のマクロブロックと現在階層のマクロブロック間の相関度が高い。したがって、より正確な予測信号を生成でき、コーディング効率が増加する。最後に、第２予測信号１０５は、基礎階層のための差分信号（１０３，Ｒｂ）を現在階層の解像度にアップサンプリング（ｕ）した信号と第１予測信号（１０１，Ｐｃ）とを加えて生成される。
【００５０】
ここで、本発明によるビデオ信号エンコーディング方法によれば、差分信号（１０９，Ｒｃ）は、第２予測信号１０５をスムージングフィルタリング（ｆ）した信号と現在マクロブロック間の差によって生成されたのちエンコーディングされる。これを簡単な式にすると、‘Ｒｃ＝Ｏｃ−ｆ（Ｐｃ）＋ｕ（Ｒｂ））'となる。
【００５１】
一方、図１０に示すビデオ信号デコーディング方法に対する識別情報を符号化でき、識別情報として、新しいシンタックスを用いるか、レジデュアル予測識別情報またはベースモード識別情報等を用いることができる。
【００５２】
図４〜図７に示すビデオ信号デコーディング方法に対応するビデオ信号エンコーディング方法（図示せず）において、第１予測信号、基礎階層のための差分信号及び第２予測信号を生成する方法は、図４〜図７で説明した方法と同一である。
【００５３】
以下、図示してはいないが、階層間予測のうち、イントラベースプレディクションにおいて加重値予測について説明する。
【００５４】
イントラベースプレディクションによるビデオ信号エンコーディング方法は、次の通りである。
【００５５】
まず、基礎階層にあるマクロブロックに対応する現在階層のアップサンプリングされた信号（Ｂ）に加重値（ｗ）を乗じた後、乗算された結果にオフセット値（ｏ）を加算して現在階層のための予測信号を生成する。ここで、加重値及びオフセット値のそれぞれは、輝度信号と色差信号の加重値及びオフセット値でありうる。
【００５６】
最後に、現在階層のための予測信号と現在階層にあるマクロブロック（Ｓ）間の差分信号（Ｒ）をエンコーディングする。これを簡単な式にすると、‘Ｒ＝Ｓ−（Ｂ＊ｗ＋ｏ）'となる。また、上記のような予測方式を示す識別情報及び加重値とオフセット値に対する情報をエンコーディングすることができる。ここで、予測方式を示す識別情報として加重値イントラベース予測識別子というシンタックスを新しく定義することができる。例えば、加重値イントラベース予測識別子の値が‘１'であれば、これは、イントラベースプレディクションに輝度信号と色差信号の加重値及びオフセット値を使用するということを意味し、‘０'であれば、加重値及びオフセット値を使用しないということを意味する。また、輝度信号と色差信号の加重値及びオフセット値に対する情報は、加重値及びオフセット値そのものであっても良く、加重値及びオフセット値が得られる情報であっても良い。
【００５７】
イントラベースプレディクションによるビデオ信号デコーディング方法は、次の通りである。
【００５８】
まず、加重値イントラベース予測識別子によって加重値とオフセット値に対する情報を用いて加重値及びオフセット値を誘導する。例えば、予測方式を示す加重値イントラベース予測識別子の値が‘１'であれば、イントラベースプレディクションに輝度信号と色差信号の加重値及びオフセット値を使用し、‘０'であれば、加重値及びオフセット値を使用しない。
【００５９】
次に、誘導された加重値（ｗ）及びオフセット値（ｏ）を用いて現在階層のための予測信号を生成する。最後に、現在階層のための予測信号と差分信号（Ｒ）とを加えて現在階層にあるマクロブロック（Ｓ）をデコーディングする。これを簡単な式にすると、‘Ｓ＝Ｒ＋（Ｂ＊ｗ＋ｏ）'となる。
【００６０】
上述したイントラベースプレディクションによるデコーディング及びエンコーディング方法は、基礎階層映像が現在階層映像をダウンサンプリングしたか、現在階層映像が他のカメラでキャプチャーされた場合に発生する現在階層映像と基礎階層映像間の明るさの差を減少させる。
【００６１】
以上説明してきた本発明の好ましい実施例は、本発明を例示するためのもので、当業者にとっては、添付された特許請求の範囲に開示された本発明の技術的思想とその技術的範囲内で、様々な他の実施例に改良、変更、代替または付加などが可能であるということが明らかである。
【図面の簡単な説明】
【００６２】
【図１】本発明によるビデオ信号デコーディング方法を示すフローチャートである。
【図２】図１の本発明によるビデオ信号デコーディング方法の一実施例を示す概略図である。
【図３】図１の本発明によるビデオ信号デコーディング方法の一実施例を示す概略図である。
【図４】図１の本発明によるビデオ信号デコーディング方法の一実施例を示す概略図である。
【図５】図１の本発明によるビデオ信号デコーディング方法の一実施例を示す概略図である。
【図６】図１の本発明によるビデオ信号デコーディング方法の一実施例を示す概略図である。
【図７】図１の本発明によるビデオ信号デコーディング方法の一実施例を示す概略図である。
【図８】本発明によるビデオ信号エンコーディング方法を示すフローチャートである。
【図９】図８の本発明によるビデオ信号エンコーディング方法の一実施例を示す概略図である。
【図１０】図８の本発明によるビデオ信号エンコーディング方法の一実施例を示す概略図である。
【図１】
2009520383.tif 000003
【図２】
2009520383.tif 000004
【図３】
2009520383.tif 000005
【図４】
2009520383.tif 000006
【図５】
2009520383.tif 000007
【図６】
2009520383.tif 000008
【図７】
2009520383.tif 000009
【図８】
2009520383.tif 000010
【図９】
2009520383.tif 000011
【図１０】
2009520383.tif 000012
【国際調査報告】
2009520383.tif 000013
2009520383.tif 000014